(57)【要約】【課題】種々の立体像を簡単な光学系で撮影・表示することを可能にする。【解決手段】被写体の像を凹凸を有する反射面上に投影し、反射光を撮像面に投影して反射面の像を撮影する。撮影像は撮影時の反射板の凹凸を逆転した凹凸を有する反射面に、撮影像を投影することによって表示することができる。本発明の立体像撮影装置による撮影像は、使用する反射面の種類によっては他の表示方法でも表示できる立体像になり、例えば微小な凸面鏡を多数並べた反射面を使えば、インテグラルフォトグラフィの表示装置によって表示できる立体像を撮影することもできる。【選択図】  図１
2005010549.tif 000002
【特許請求の範囲】
【請求項１】
凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、該ハーフミラーのもう一方の面に面して置かれた光学絞りおよび投影レンズと、その撮像面が該投影レンズによって該反射面の像が投影される位置に置かれた撮像手段とからなり、被写体の像が第２の凸レンズと第１の凸レンズによって該反射面に投影され、この反射光が第１の凸レンズで集束された後、光学絞りを通して該投影レンズによって該撮像面上に投影されることを特徴とする立体像撮影装置。
【請求項２】
請求項１の第１の凸レンズから第２の凸レンズまでの光路長、および第１の凸レンズから光学絞りまでの光路長、すなわち光線がハーフミラーを透過ないし反射して至る距離が、ともに第１の凸レンズの焦点距離に等しいことを特徴とする請求項１に記載の立体像撮影装置。
【請求項３】
請求項１の第１の凸レンズから第２の凸レンズまでの光路長が、第１の凸レンズの焦点距離と第２の凸レンズの焦点距離の和に等しく、第１の凸レンズから光学絞りまでの光路長が第１の凸レンズの焦点距離に等しいことを特徴とする請求項１に記載の立体像撮影装置。
【請求項４】
請求項１〜３の凹凸を有する反射面が、微小な凹面鏡が面上に多数並んだ反射面であることを特徴とする、請求項１〜３に記載の立体像撮影装置。
【請求項５】
請求項１〜３の凹凸を有する反射面が、微小な凸面鏡が面上に多数並んだ反射面であることを特徴とする、請求項１〜３に記載の立体像撮影装置。
【請求項６】
請求項１〜３の凹凸を有する反射面が、凹な円柱面が軸を平行にして面上に多数並んだ反射面であることを特徴とする、請求項１〜３に記載の立体像撮影装置。
【請求項７】
請求項１〜３の凹凸を有する反射面が、凸な円柱面が軸を平行にして面上に多数並んだ反射面であることを特徴とする、請求項１〜３に記載の立体像撮影装置。
【請求項８】
凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、第１および第２の凸レンズによって該反射面の像が結ばれる位置あるいはその付近に置かれる第３の凸レンズと、該ハーフミラーのもう一方の面に面して置かれたプロジェクターからなり、該プロジェクターは点光源を光源とし、リレー光学系により透過光制御手段の前方（透過光制御手段と第１の凸レンズの間）に該点光源の像を結びつつ、透過光制御手段上に形成された像を該反射面に投影することで立体像を再生することを特徴とする立体像表示装置。
【請求項９】
請求項８のプロジェクターの点光源像から第１の凸レンズからまでの光路長、および第１の凸レンズから第２の凸レンズまでの光路長、すなわち光線がハーフミラーを透過ないし反射して至る距離が、ともに第１の凸レンズの焦点距離に等しいことを特徴とする請求項８に記載の立体像表示装置。
【請求項１０】
凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、該ハーフミラーのもう一方の面に面して置かれたプロジェクターからなり、該プロジェクターは点光源を光源とし、リレー光学系により透過光制御手段の前方（透過光制御手段と第１の凸レンズの間）に該点光源の像を結びつつ、透過光制御手段上に形成された像を該反射面に投影することで立体像を再生することを特徴とする立体像表示装置。
【請求項１１】
請求項１０の第１の凸レンズから第２の凸レンズまでの光路長が、第１の凸レンズの焦点距離と第２の凸レンズの焦点距離の和に等しく、第１の凸レンズからプロジェクターの点光源像までの光路長が第１の凸レンズの焦点距離に等しいことを特徴とする請求項１０に記載の立体像表示装置。
【請求項１２】
請求項８〜１１の凹凸を有する反射面が、微小な凹面鏡が面上に多数並んだ反射面であることを特徴とする、請求項８〜１１に記載の立体像表示装置。
【請求項１３】
請求項８〜１１の凹凸を有する反射面が、微小な凸面鏡が面上に多数並んだ反射面であることを特徴とする、請求項８〜１１に記載の立体像表示装置。
【請求項１４】
請求項８〜１１の凹凸を有する反射面が、凹な円柱面が軸を平行にして面上に多数並んだ反射面であって、第１および第２の凸レンズによって該反射面の像が結ばれる位置に、面上に該円柱面の軸と垂直なシリンドリカルレンズが並んだレンチキュラーレンズを置くことを特徴とする立体像表示装置。
【請求項１５】
請求項８〜１１の凹凸を有する反射面が、凸な円柱面が軸を平行にして面上に多数並んだ反射面であって、第１および第２の凸レンズによって該反射面の像が結ばれる位置に、面上に該円柱面の軸と垂直なシリンドリカルレンズが並んだレンチキュラーレンズを置くことを特徴とする立体像表示装置。
【発明の詳細な説明】
【０００１】
【発明の属する技術分野】
本発明は、立体像を撮影・表示する装置に関する。
【０００２】
【従来の技術】
従来、立体像を撮影、表示するには、水平方向に所定の距離を離して置いた二台のカメラで撮影し、偏光ガラスやカラーフィルタなどを用いた眼鏡や、専用のビュアーを使って二枚の撮影像を左右それぞれの目で見えるようにする方法や、レンチキュラーレンズを使ってそれぞれ異なる角度から見えるようにしたものがある。
【０００３】
また、特殊なビュアーを使わずに見ることができる立体像を撮影、表示する方法としては、平面上に並んだ凸レンズ群を使って被写体の写真を撮り、同様の凸レンズ群を使って再生するインテグラルフォトグラフィや、単一波長の光を使って被写体からの反射光と参照光との干渉縞をフィルム上に記録し、これに参照光と同様の光を当てて再生するホログラムなどがある。
【０００４】
【発明が解決しようとする課題】
眼鏡やビュアーを使って見なければならないものは、不特定の人に立体像を提供するにははなはだ不便である。またレンチキュラーレンズを使って、複数の像を異なる角度から見えるようにしたものは、見る角度によって数枚の写真が切り替わって見えるため、見る位置によっては二重の像が見えたり、観察者が移動しながら見る時に不自然さを感じることがある。また良好な観察ができる角度範囲が比較的狭いという問題もある。
【０００５】
またインテグラルフォトグラフィは、撮影装置の製作が容易でない上にそのままでは遠近の逆転した不自然な立体像となってしまう問題がある。ホログラムは更に撮影が難しく、簡単な装置で気軽に立体像を楽しむことは困難である。
【０００６】
本発明者は、これらの課題を解決すべく、従来とは異なる立体像の撮影及び表示方法を考案し、すでに特願２００２−１１２８２４および特願２００２−１３２４９９に出願済みであるが、その後さらに検討を続け、該出願特許と同様の立体像を撮影・表示する他の方法を発見するに至った。
【０００７】
【課題を解決するための手段】
本発明の請求項１は、凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、該ハーフミラーのもう一方の面に面して置かれた光学絞りおよび投影レンズと、その撮像面が該投影レンズによって該反射面の像が投影される位置に置かれた撮像手段とからなり、被写体の像が第２の凸レンズと第１の凸レンズによって該反射面に投影され、この反射光が第１の凸レンズで集束された後、光学絞りを通して該投影レンズによって該撮像面上に投影されることを特徴とする立体像撮影装置である。
【０００８】
本発明の請求項２は、請求項１の第１の凸レンズから第２の凸レンズまでの光路長、および第１の凸レンズから光学絞りまでの光路長、すなわち光線がハーフミラーを透過ないし反射して至る距離が、ともに第１の凸レンズの焦点距離に等しいことを特徴とする請求項１に記載の立体像撮影装置である。
【０００９】
本発明の請求項３は、請求項１の第１の凸レンズから第２の凸レンズまでの光路長が、第１の凸レンズの焦点距離と第２の凸レンズの焦点距離の和に等しく、第１の凸レンズから光学絞りまでの光路長が第１の凸レンズの焦点距離に等しいことを特徴とする請求項１に記載の立体像撮影装置である。
【００１０】
本発明の請求項４は、請求項１〜３の凹凸を有する反射面が、微小な凹面鏡が面上に多数並んだ反射面であることを特徴とする、請求項１〜３に記載の立体像撮影装置である。
【００１１】
本発明の請求項５は、請求項１〜３の凹凸を有する反射面が、微小な凸面鏡が面上に多数並んだ反射面であることを特徴とする、請求項１〜３に記載の立体像撮影装置である。
【００１２】
本発明の請求項６は、請求項１〜３の凹凸を有する反射面が、凹な円柱面が軸を平行にして面上に多数並んだ反射面であることを特徴とする、請求項１〜３に記載の立体像撮影装置である。
【００１３】
本発明の請求項７は、請求項１〜３の凹凸を有する反射面が、凸な円柱面が軸を平行にして面上に多数並んだ反射面であることを特徴とする、請求項１〜３に記載の立体像撮影装置である。
【００１４】
本発明の請求項８は、凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、第１および第２の凸レンズによって該反射面の像が結ばれる位置あるいはその付近に置かれる第３の凸レンズと、該ハーフミラーのもう一方の面に面して置かれたプロジェクターからなり、該プロジェクターは点光源を光源とし、リレー光学系により透過光制御手段の前方（透過光制御手段と第１の凸レンズの間）に該点光源の像を結びつつ、透過光制御手段上に形成された像を該反射面に投影することで立体像を再生することを特徴とする立体像表示装置である。
【００１５】
本発明の請求項９は、請求項８のプロジェクターの点光源像から第１の凸レンズからまでの光路長、および第１の凸レンズから第２の凸レンズまでの光路長、すなわち光線がハーフミラーを透過ないし反射して至る距離が、ともに第１の凸レンズの焦点距離に等しいことを特徴とする請求項８に記載の立体像表示装置である。
【００１６】
本発明の請求項１０は、凹凸を有する反射面と、該反射面の前に置かれた第１の凸レンズと、第１の凸レンズの前に傾斜して置かれたハーフミラーと、該ハーフミラーの一方の面に面して置かれた第２の凸レンズと、該ハーフミラーのもう一方の面に面して置かれたプロジェクターからなり、該プロジェクターは点光源を光源とし、リレー光学系により透過光制御手段の前方（透過光制御手段と第１の凸レンズの間）に該点光源の像を結びつつ、透過光制御手段上に形成された像を該反射面に投影することで立体像を再生することを特徴とする立体像表示装置である。
【００１７】
本発明の請求項１１は、請求項１０の第１の凸レンズから第２の凸レンズまでの光路長が、第１の凸レンズの焦点距離と第２の凸レンズの焦点距離の和に等しく、第１の凸レンズからプロジェクターの点光源像までの光路長が第１の凸レンズの焦点距離に等しいことを特徴とする請求項１０に記載の立体像表示装置である。
【００１８】
本発明の請求項１２は、請求項８〜１１の凹凸を有する反射面が、微小な凹面鏡が面上に多数並んだ反射面であることを特徴とする、請求項８〜１１に記載の立体像表示装置である。
【００１９】
本発明の請求項１３は、請求項８〜１１の凹凸を有する反射面が、微小な凸面鏡が面上に多数並んだ反射面であることを特徴とする、請求項８〜１１に記載の立体像表示装置である。
【００２０】
本発明の請求項１４は、請求項８〜１１の凹凸を有する反射面が、凹な円柱面が軸を平行にして面上に多数並んだ反射面であって、第１および第２の凸レンズによって該反射面の像が結ばれる位置に、面上に該円柱面の軸と垂直なシリンドリカルレンズが並んだレンチキュラーレンズを置くことを特徴とする立体像表示装置である。
【００２１】
本発明の請求項１５は、請求項８〜１１の凹凸を有する反射面が、凸な円柱面が軸を平行にして面上に多数並んだ反射面であって、第１および第２の凸レンズによって該反射面の像が結ばれる位置に、面上に該円柱面の軸と垂直なシリンドリカルレンズが並んだレンチキュラーレンズを置くことを特徴とする立体像表示装置である。
【００２２】
【発明の実施の形態】
図１に本発明請求項１および請求項５の立体像撮影装置の光学系の斜視図を示す。なお以下の各実施例はその光学系のみを表し、光学系を収納するケースや構造材は省略する。本実施例は微小な凸面鏡が多数並んでなる反射面４の前に第１の凸レンズ３が置かれ、ハーフミラー２を透過する側には第２の凸レンズ１が、ハーフミラー２の反射側には光学絞り５と投影レンズ６、さらに撮像面７をもつ撮像手段が置かれている。凸レンズ１と３によって反射面４の像が投影される位置にピント面８が存在し、ピント面８の像は凸レンズ１と３によって反射面４に投影され、反射面４の反射光の一部がハーフミラー２で反射して、光学絞り５を通り投影レンズ６によって撮像面７に投影され撮影される。ここで撮像手段は感光フィルムや写真乾板あるいはＣＣＤなどの撮像素子であり、感光フィルムや写真乾板では撮像面７は感光面を表す。感光フィルムや写真乾板を用いて撮影する場合にはさらに露光を制御する手段が必要があるが、これには光学絞り５に近接してシャッターを設けるか、撮像面７の前面にフォーカルプレーンシャッターを設けるなどすればよい。
【００２３】
次に請求項２の場合を例にとってさらに詳しく説明する。図１の光学系において、請求項２の条件を満たす場合の側面から見た平面図を図２に示す。凸レンズ１は凸レンズ３から凸レンズ３の焦点距離ｆ１だけ離れ、凸レンズ３から光学絞り５までの光路長もｆ１に等しい（ａ＋ｂ＝ｆ１）。被写体からの光線は凸レンズ１の様々な位置に入射し、凸レンズ３を通って反射面４に投影され、反射面４の反射光のうち法線に平行な成分（ｚ軸に平行な成分）が凸レンズ３で集束され、光学絞り５を通過して撮像面７に投影され撮影される。
【００２４】
本装置の撮影像は請求項９の立体像表示装置で立体像として再生される。図３は請求項８および請求項９の光学系であり、側面から見た平面図を図４に示した。本装置では反射面１６、第１の凸レンズ１５、ハーフミラー１４、第２の凸レンズ１７、第３の凸レンズ１８とプロジェクターからなる図１，図２と類似の光学系を撮影とは逆にたどって立体像を再生する。透過光制御手段１１に記録された撮影像は、点光源９を光源として投影レンズ１２とハーフミラー１４の働きで反射面１６に投影されるが、このときリレーコンデンサーレンズ１０による点光源９の像が結ばれる位置に光学絞り１３が置かれ、点光源９以外からの光をカットしている。点光源９の像から凸レンズ１５までの光路長ｃ＋ｄは凸レンズ１５の焦点距離Ｆ１に等しい（ｃ＋ｄ＝Ｆ１）ため、反射面１６に投影される光は平行光となる。反射面１７には撮影装置の反射面４の凹凸を逆転した凹凸が形成されており（ここでは微小な凹面鏡が多数並んだもの）、投影された平行光を拡散反射して角度の広がった光線となる。この反射光は凸レンズ１５からハーフミラー１４を透過して凸レンズ１７に至るが、凸レンズ１５と凸レンズ１７の距離はＦ１に等しいため、凸レンズ１７の中央を中心にして広がり、凸レンズ１８の位置に反射面１６の像１９を結ぶように再び集束する。この像を図の右側から観察すれば立体像を見ることができる。
【００２５】
本装置で立体像が撮影・表示される原理を図１１を使って説明する。図１１の（ｂ）は撮影装置の反射面４４の凹凸での反射のようすを示したものである。本撮影装置では被写体からの光のなかで反射後に平行光となるもののみが撮像面にとどくが、これを代表する光線としてＰｉ，Ｌｉを図示した。次に（ａ）は表示装置の反射面４５の凹凸での反射のようすを示したものである。撮影装置によって記録された光線Ｐｉ，Ｌｉを再生した光線は、上記したように平行光となって反射面４５に入射し、反射して光線Ｐｏ，Ｌｏとなる。ここで反射面４５の凹凸は反射面４４の凹凸を逆転した形になっているから（ｃ）のように隙間無く合わせることができ、この図にＰｉ，ＬｉとＰｏ，Ｌｏを描けば、光線Ｐｏ，Ｌｏが光線Ｐｉ，Ｌｉの位置と進行方向を再生したものであることがわかる。
【００２６】
このようにして図３，図４の反射面１６の反射光が、図１，図２の反射面４に入射した光の位置と進行方向を再現しており、これを投影した像１９が立体像となることがわかる。ここで凸レンズ１８による凸レンズ１７の像２０と投影像１９と位置関係が、撮影装置の凸レンズ１とピント面８の位置関係に等しくなるとき再生像は最もリアルな立体像として観察される。図３，図４では投影像１９が凸レンズ１８中に結ばれているが、凸レンズ１８から若干前後にはずれてもかまわない。ただ位置がずれればその分だけ凸レンズ１８を投影像１９より大きくしなくてはならない。
【００２７】
本発明の請求項３は、図１に示した請求項１の立体像撮影装置において、請求項２とは異なる条件を満たす設計の一例である。図５に平面図を示す。請求項３では第１の凸レンズ３と第２の凸レンズ１の距離が両レンズの焦点距離ｆ１，ｆ２の和に等しくなるように置かれている点を除けば、他の部分は図２に示した請求項２と同じであり、同様の原理で立体像を撮影する。本装置はピント面８からｚ軸に平行に向かう光線が、凸レンズ１，３を通って再びｚ軸に平行な光線となって反射面４に入射するという特徴を持っている。
【００２８】
請求項３の装置の撮影像は請求項１０の表示装置において、さらに請求項１１の条件を満たす装置によって表示することができる。本発明の請求項１０の立体像表示装置の光学系を図６に斜視図で表す。本光学系は図３から凸レンズ１８を除いたものである。請求項１１の条件を図７に平面図で示した。請求項１１では第１の凸レンズ２７と第２の凸レンズ２９の距離が両レンズの焦点距離Ｆ１，Ｆ２の和に等しくなるように置かれ、第３の凸レンズが無い点を除けば他の部分は図４に示した請求項９と同じであり、同様の原理で立体像を撮影する。本装置は反射面２８の反射光のｚ軸に平行な成分が、凸レンズ２７，２９を通って再びｚ軸に平行な光線となって投影面３０に投影されるという特徴を持っている。このため請求項３の立体像撮影装置の撮影像を本装置で表示すれば、もともとｚ軸に平行であった光線が再びｚ軸に平行な光線となるように再生されるため、投影面３０の前後に凸レンズを置いて角度修正を行う必要がない。このように請求項３の立体像撮影装置で撮影すれば、撮影像はより簡単な請求項１１の表示装置で表示することができ、この点で優れているが、請求項２の撮影装置で撮影し請求項９の表示装置で表示する場合に比べて広い視野角を得にくいという点で劣っている。
【００２９】
以上代表的な実施例について本発明の立体像撮影装置と立体像表示装置の原理を説明したが、請求項１の立体像撮影装置には請求項２，３以外の設計も可能であり、また請求項８，１０の立体像表示装置には請求項９，１１以外の設計も可能である。
【００３０】
本発明の立体像撮影装置に使われる凹凸を有する反射面には、微小な凹面鏡が面上に多数並んだものを使うことができる（請求項４）。このとき撮影される像は特願２００２−１１２８２４に記載されている正の点描立体像にあたり、微小な凸面鏡が面上に多数並んだ反射面を使って本発明の立体像表示装置で表示することができ、さらに特願２００２−１１２８２４に記載された立体像表示装置によっても表示することができる。逆に特願２００２−１１２８２４に記載された立体像撮影装置で撮影された正の点描立体像を本発明の立体像表示装置で表示することも可能である。
【００３１】
また本発明の立体像撮影装置に使われる凹凸を有する反射面には、微小な凸面鏡が面上に多数並んだものを使うことができる（請求項５）。このとき撮影される像は特願２００２−１１２８２４に記載されている負の点描立体像にあたり、微小な凹面鏡が面上に多数並んだ反射面を使って本発明の立体像表示装置で表示することができ、さらに特願２００２−１１２８２４に記載された立体像表示装置によっても表示することができる。逆に特願２００２−１１２８２４に記載された立体像撮影装置で撮影された負の点描立体像を本発明の立体像表示装置で表示することも可能である。
【００３２】
本発明の立体像撮影装置に使われる凹凸を有する反射面には、図８に示すように凸な円柱面が軸を平行にして面上に多数並んだものを使うことができる（請求項７）。このとき撮影される像は特願２００２−１１２８２４に記載されている負の線描立体像にあたり、同明細書に記載された立体像表示装置によって表示することができ、さらに同撮影像は請求項１４の立体像表示装置によっても表示することができる。
【００３３】
図１０は請求項１４の立体像表示装置の光学系である。本装置は図３の立体像表示装置にレンチキュラーレンズ４３を追加したものである。反射面４０には図９に示すように凹な円柱面が軸を平行にして面上に多数並んだものを使い、基本的に同様の原理で立体像を表示するが、反射面４０の円柱面の反射光はｙ方向に広がりを持たないため、第２の凸レンズ４１は縦の幅が狭いものが使える一方、そのままでは上下の視野角が狭くなって好ましくない。そこで反射面４０の像が投影される位置にｘ軸に平行なシリンドリカルレンズを並べたレンチキュラーレンズ４３を置き透過光をｙ方向に広げる必要がある。第３の凸レンズ４２は反射面４０の投影像の位置から若干ずれてもかまわないため、レンチキュラーレンズ４３の前後に置かれればよい。また図６の立体像表示装置において図９の反射面を使う場合には、投影像３０の位置に同様のレンチキュラーレンズを置けばよい。
【００３４】
本発明の立体像撮影装置に使われる凹凸を有する反射面には、図９に示すように凹な円柱面が軸を平行にして面上に多数並んだものを使うことができる（請求項６）。このとき撮影される像は特願２００２−１１２８２４に記載されている正の線描立体像にあたり、同明細書に記載された立体像表示装置によって表示することができ、さらに同撮影像は請求項１５の立体像表示装置によっても表示することができる。
【００３５】
本発明の立体像撮影装置および立体像表示装置の説明において、凸レンズと書かれているものは単一のレンズに限るものではなく、複数枚のレンズによる組み合わせレンズであっても良いことはもちろんである。また本発明の立体像撮影装置を使って視野角の広い立体像を撮影するためには、焦点距離と口径の比が小さい凸レンズが必要であり、また本発明の立体像表示装置で大きな画面の表示を行うには口径の大きな凸レンズが必要である。このような大口径・厚肉のレンズは通常かなり高価で重量も大きなものとなるが、フレネルレンズを使用すれば低価格で軽量な立体像撮影・表示装置が実現できる。
【００３６】
【発明の効果】
本発明の立体像撮影装置によれば簡単な装置で種々の立体像を撮影することができ、さらに撮影した立体像は本発明の立体像表示装置や特願２００２−１１２８２４に記載の表示装置で見ることができる。いずれも特殊な眼鏡やビュアーを使う必要がないので、不特定の複数の人間が同時に鑑賞することができる。
【図面の簡単な説明】
【図１】請求項１による立体像撮影装置の実施例である。
【図２】請求項２による立体像撮影装置の実施例の平面図である。
【図３】請求項８による立体像表示装置の実施例である。
【図４】請求項９による立体像表示装置の実施例の平面図である。
【図５】請求項３による立体像撮影装置の実施例の平面図である。
【図６】請求項１０による立体像表示装置の実施例である。
【図７】請求項１１による立体像表示装置の実施例の平面図である。
【図８】請求項７および請求項１５に使われる反射面の一例である。
【図９】請求項６および請求項１４に使われる反射面の一例である。
【図１０】請求項１４による立体像表示装置の実施例である。
【図１１】立体像の撮影・表示原理の説明図である。
【符号の説明】
１，１７，２９，４１  ・・・  第２の凸レンズ
２，１４，２６，３８  ・・・  ハーフミラー
３，１５，２７，３９  ・・・  第１の凸レンズ
４  ・・・  微小な凸面鏡が並んだ反射面
５，１３，２５，３７  ・・・  光学絞り
６，１２，２４，３６  ・・・  投影レンズ
７  ・・・  撮像面
８  ・・・  ピント面
９，２１，３３  ・・・  点光源（電球）
１０，２２，３４  ・・・  リレーコンデンサーレンズ（フレネルレンズ）
１１，２３，３５  ・・・  透過光制御手段
１６，２８  ・・・  微小な凹面鏡が並んだ反射面
１８，４２  ・・・  第３の凸レンズ
１９，３０  ・・・  反射面の像が投影される面
２０  ・・・  凸レンズ１７の像
３１  ・・・  凸な円柱面が並んだ反射面
３２，４０  ・・・  凹な円柱面が並んだ反射面
４３  ・・・  レンチキュラーレンズ
４４，４５  ・・・  凹凸を有する反射面
【図１】
2005010549.tif 000003
【図２】
2005010549.tif 000004
【図３】
2005010549.tif 000005
【図４】
2005010549.tif 000006
【図５】
2005010549.tif 000007
【図６】
2005010549.tif 000008
【図７】
2005010549.tif 000009
【図８】
2005010549.tif 000010
【図９】
2005010549.tif 000011
【図１０】
2005010549.tif 000012
【図１１】
2005010549.tif 000013